(57)【要約】【課題】過去に訪れた地域（エリア）において発生したウイルス感染症や花粉症等の症例情報をユーザに自動的に配信し、ユーザに対する注意の喚起や、早めの検査・治療を促す。【解決手段】症例情報自動配信システムは、まず、携帯端末の位置を記録した端末位置記録手段から、指定された携帯端末の位置記録を検索する。次に、症例情報自動配信システムは、前記携帯端末の位置記録に基づいて、過去に前記携帯端末が位置したエリアに所在する医療機関の電子カルテから、予め定めた症例情報を検索する。次に、症例情報自動配信システムは、前記症例情報を集計し、前記携帯端末宛てに送信する。【選択図】図５
2009277050.tif 000002
【特許請求の範囲】
【請求項１】
携帯端末の位置を記録した端末位置記録手段から、指定された携帯端末の位置記録を検索する端末位置記録検索手段と、
前記携帯端末の位置記録に基づいて、過去に前記携帯端末が位置したエリアに所在する医療機関の電子カルテから、予め定めた症例情報を検索する症例情報検索手段と、
前記症例情報を集計する検索結果検証手段と、
前記集計した症例情報を前記携帯端末宛てに送信する検索結果通知手段と、を備えることを特徴とする症例情報自動配信システム。
【請求項２】
前記検索結果検証手段は、新たに集計した症例情報を集計した際に、前回の症例情報の集計結果を記憶する前回検索結果記憶手段を参照して、前記新たに集計した症例情報の集計結果を前記携帯端末に送信するか否かを決定する請求項１に記載の症例情報自動配信システム。
【請求項３】
更に、前記携帯端末に対する前記集計した症例情報の配信周期を決定するスケジューラを備える請求項２に記載の症例情報自動配信システム。
【請求項４】
前記症例情報として、ウイルス感染症又は花粉症の症例情報を検索して集計する請求項１乃至３いずれか一に記載の症例情報自動配信システム。
【請求項５】
更に、天候、気温、湿度、風向のいずれか一つ以上を前記症例情報とともに送信する請求項１乃至４いずれか一に記載の症例情報自動配信システム。
【請求項６】
症例情報自動配信システムを構成するコンピュータに実行させる症例情報配信方法であって、
携帯端末の位置を記録した端末位置記録手段から、指定された携帯端末の位置記録を検索するステップと、
前記携帯端末の位置記録に基づいて、過去に前記携帯端末が位置したエリアに所在する医療機関の電子カルテから、予め定めた症例情報を検索するステップと、
前記症例情報を集計するステップと、
前記集計した症例情報を前記携帯端末宛てに送信するステップと、を含むことを特徴とする症例情報配信方法。
【発明の詳細な説明】
【技術分野】
【０００１】
本発明は、症例情報自動配信システム及び症例情報配信方法に関し、特に、ユーザの行動範囲や行動パターンを考慮し、ユーザに注意を促すことのできる症例情報自動配信システム及び症例情報配信方法に関する。
【背景技術】
【０００２】
特許文献１に、種々の端末から風邪ウイルス情報を取得し、風邪ウイルス伝播情報として管理し、ホームページや音声案内により携帯端末に対して送信するウイルス情報センタ装置が示されている。また、同公報の００３２段落には、携帯端末から指定された地域の地域別風邪ウイルス伝播情報のみを提供することや、ある地域の感染度が所定値以上になった場合に予め登録された携帯端末に対して警戒情報を送信することが記載されている。
【０００３】
特許文献２には、携帯端末の位置を測定する測位サーバと、災害情報や犯罪情報等を蓄積する配信情報蓄積サーバとに接続され、配信情報蓄積サーバから取得した配信情報が設定された所定の地域内に位置している携帯端末に対して、前記配信情報を配信する情報配信システムが開示されている。
【０００４】
【特許文献１】特開２００５−２７５７０８号公報
【特許文献２】特開２００５−３３３２３２号公報
【発明の開示】
【発明が解決しようとする課題】
【０００５】
上記各特許文献記載のように、エリア別に蓄積された地域情報を当該地域の携帯端末に配信する仕組みが知られている。しかしながら、これらのシステムでは、あくまで現在位置しているエリアの情報が配信されるのみであり、将来の移動先のエリアの情報を自動的に取得することができないという問題点がある。
【０００６】
特に、特定の地域でのみウイルス感染症や花粉症の患者が多く発生している場合、現地に入ってからでは予防や対策が難しいという問題点がある。また、ウイルス感染症の場合、潜伏期間というものがあり、発症していないが感染した可能性があることが判れば、早めに検査・治療を受けることも可能になる。
【０００７】
本発明は、上記した事情に鑑みてなされたものであって、その目的とするところは、携帯端末ユーザが過去に訪れた地域（エリア）において発生した症例情報をユーザに自動的に配信し、当該エリアに再び入る際の注意の喚起や、早めの検査・治療を促すことのできる症例情報自動配信システム及び及び症例情報配信方法を提供することにある。
【課題を解決するための手段】
【０００８】
本発明の第１の視点によれば、携帯端末の位置を記録した端末位置記録手段から、指定された携帯端末の位置記録を検索する端末位置記録検索手段と、前記携帯端末の位置記録に基づいて、過去に前記携帯端末が位置したエリアに所在する医療機関の電子カルテから、予め定めた症例情報を検索する症例情報検索手段と、前記症例情報を集計する検索結果検証手段と、前記集計した症例情報を前記携帯端末宛てに送信する検索結果通知手段と、を備える症例情報自動配信システムが提供される。
【０００９】
本発明の第２の視点によれば、症例情報自動配信システムを構成するコンピュータに実行させる症例情報配信方法であって、携帯端末の位置を記録した端末位置記録手段から、指定された携帯端末の位置記録を検索するステップと、前記携帯端末の位置記録に基づいて、過去に前記携帯端末が位置したエリアに所在する医療機関の電子カルテから、予め定めた症例情報を検索するステップと、前記症例情報を集計するステップと、前記集計した症例情報を前記携帯端末宛てに送信するステップと、を含む症例情報配信方法が提供される。
【発明の効果】
【００１０】
本発明によれば、過去に訪れた地域（エリア）において発生した症例情報をユーザに自動的に配信することが可能になる。従って、ユーザとしては、必要に応じて当該地域（エリア）に再び入ることを避けたり、予防注射を行なったり、感染等が疑われる場合には、早めの検査や治療を受けることが可能になる。
【発明を実施するための最良の形態】
【００１１】
続いて、本発明の好適な実施形態について図面を参照して詳細に説明する。図１は、本発明の第１の実施形態に係る症例情報自動配信システムの構成を表した図である。図１を参照すると、ユーザ情報２に登録されたサービス提供条件に従って動作するスケジューラ１と、端末位置記録手段１１からサービス対象の携帯端末の位置記録を検索する端末位置記録検索手段３と、電子カルテネットワーク上のデータベースから電子カルテ７を読み出し、必要な症例情報を検索する症例情報検索手段４と、抽出された症例情報を集計し、前回検索結果記憶手段１０を参照して検証する検索結果検証手段５と、集計した症例情報を携帯端末９に送信する検索結果通知手段８と、が示されている。なお、電子カルテ７には、患者毎の診察結果（患者ＩＤ・患者名・診察日時・症例名等）が含まれているものとする。
【００１２】
スケジューラ１は、ユーザ情報２に登録されたサービス提供条件に従って動作し、症例情報の配信タイミングになると、端末位置記録検索手段３に対して、ユーザＩＤやメールアドレス等を含む端末位置記録検索要求を発行する。スケジューラ１は、サーバ（図２のスケジューラサーバ１００）により構成することも可能である。なお、症例情報の配信タイミングは、毎週定刻、毎日定刻、数時間おき、あるいは、数十分おきなど、配信すべき症例情報に応じて適宜設定することができる。
【００１３】
ユーザ情報２には、ユーザＩＤ・ユーザ名・情報配信周期・サービス登録日時・情報配信先（メールアドレス）等のユーザ毎のサービス提供条件が含まれる。例えば、データベースにユーザ情報２を格納する構成とすることで、新規ユーザの追加や前記サービス提供条件の更新が容易化される。
【００１４】
端末位置記録検索手段３は、端末位置記録検索サーバ３００により実現することができる。図２は、端末位置記録検索サーバ３００の詳細構成を表した図である。図２を参照すると、端末位置記録検索制御部３０１と、端末位置記録要求処理部３０２と、症例情報検索要求処理部３０３と、端末位置記録送信部３０４と、を備えた端末位置記録検索サーバ３００が示されている。
【００１５】
端末位置記録検索制御部３０１は、スケジューラ（スケジューラサーバ１００）から端末位置記録検索要求を受信すると、端末位置記録要求処理部３０２を動作させる。
【００１６】
端末位置記録要求処理部３０２は、端末位置記録検索制御部３０１より指定された過去一定期間の指定ユーザＩＤを持つ携帯端末の位置記録を、端末位置記録手段として動作する端末位置記録サーバ１１００に要求する。このとき、端末位置記録サーバ１１００に要求する携帯端末の位置記録の時間間隔は、配信すべき症例情報の潜伏期間等に応じて適宜設定することができる。もちろん、ユーザが個々に設定するものとしてもよい。
【００１７】
端末位置記録要求処理部３０２は、端末位置記録サーバ１１００から、指定ユーザＩＤを持つ携帯端末の位置記録を受信すると、症例情報検索要求処理部３０３及び端末位置記録送信部３０４に送信する。なお、携帯端末の位置記録は、時系列に位置情報を並べたものでもよいが、各ユーザが一定時間以上位置したエリアのみを抽出するものとしてもよい。
【００１８】
症例情報検索要求処理部３０３は、症例情報検索サーバ４００に対して、携帯端末の位置記録に示された地域（エリア）の電子カルテ７から、予め定めた症例情報の検索を要求する。
【００１９】
端末位置記録送信部３０４は、検索結果検証サーバ５００に対して、端末位置記録要求処理部３０２より受信した携帯端末の位置記録を送信する。
【００２０】
症例情報検索手段４は、症例情報検索サーバ４００により実現することができる。図３は、症例情報検索サーバ４００の詳細構成を表した図である。図３を参照すると、症例情報検索制御部４０１と、症例情報要求処理部４０２と、地域別病院情報記憶部４０３と、検索対象症例情報記憶部４０４と、を備えた症例情報検索サーバ４００が示されている。
【００２１】
地域別病院情報記憶部４０３は、携帯端末の位置記録にて携帯端末の位置を指定するために使用されている地域コード別に、該地域に所在する医療機関の一覧情報を保持する。
【００２２】
検索対象症例情報記憶部４０４は、ウイルス感染症や花粉症等の検索対象として指定された症例情報を保持する。検索対象症例情報記憶部４０４の内容は、ユーザ毎に変更できるようにしてもよい。
【００２３】
症例情報検索制御部４０１は、端末位置記録検索サーバ３００から症例情報検索要求を受信すると、症例情報要求処理部４０２を動作させる。
【００２４】
症例情報要求処理部４０２は、地域別病院情報記憶部４０３を参照して、症例情報検索要求に示された位置にある医療機関を割り出し、該医療機関の電子カルテ７を読出し、検索対象症例情報記憶部４０４にて検索対象とされている症例情報を取得する。取得した症例情報は、症例情報検索制御部４０１により、検索結果検証サーバ５００に送信される。
【００２５】
検索結果検証手段５は、検索結果検証サーバ５００により実現することができる。図４は、検索結果検証サーバ５００の詳細構成を表した図である。図４を参照すると、端末位置記録／症例情報結合処理部５０１と、前回検索結果比較処理部５０２と、メール配信要求処理部５０３と、検索結果更新処理部５０４と、を備えた検索結果検証サーバ５００が示されている。
【００２６】
端末位置記録／症例情報結合処理部５０１は、症例情報検索サーバ４００から受信した症例情報に基づいて症例別の件数を集計し、端末位置記録検索サーバ３００から受信した携帯端末の位置記録と結合し、前回検索結果比較処理部５０２に送信する。
【００２７】
前回検索結果比較処理部５０２は、前回検索結果記憶手段１０から該当するユーザに対し前回送信した情報を読み出し、前記結合した携帯端末の位置記録と集計済み症例情報を比較する。前記比較の結果、前回送信した内容と変わりが無い場合は、前回検索結果比較処理部５０２は、集計した症例情報の配信を中止する。一方、前回送信した内容に対し何らかの変化が生じている場合は、前回検索結果比較処理部５０２は、メール配信要求処理部５０３に対し前記結合した携帯端末の位置記録と集計した症例情報を含む電子メールの配信を要求するとともに、検索結果更新処理部５０４に対し、前記結合した携帯端末の位置記録と症例情報を送信する。
【００２８】
メール配信要求処理部５０３は、検索結果通知手段８として動作するメール配信サーバ８００を経由して、該当する携帯端末９に対して、前記携帯端末の位置記録と集計した症例情報を用いて適宜作成した電子メールを送信する。
【００２９】
検索結果更新処理部５０４は、前記結合した携帯端末の位置記録と集計した症例情報に基づいて、前回検索結果記憶手段１０の内容を更新する。
【００３０】
端末位置記録サーバ１１００は、端末位置記録手段として動作し、端末位置記録検索サーバ３００からの要求に応じて携帯端末９の位置記録を送信する。携帯端末９の位置記録としては、携帯端末９が属する基地局情報等を記録したものを用いることができる。もちろん、個々の携帯端末がＧＰＳ機能を備えている場合には、ＧＰＳより得られた位置情報を用いることもできる。
【００３１】
続いて、本実施形態の症例情報自動配信システムの動作について説明する。図５は、本実施形態の症例情報自動配信システムの一連の動作を表したシーケンス図である。図５を参照すると、ユーザ情報のサービス提供条件にて指定されたタイミングが到来すると、スケジューラサーバ１００（スケジューラ）は、端末位置記録検索サーバ３００に対して、ユーザＩＤやメールアドレス等を送信し、一連の動作開始を要求する（ステップＳ１０１）。
【００３２】
端末位置記録検索サーバ３００は、指定された携帯端末の位置記録を取得する（ステップＳ１０２）。例えば、現在、エリアＡにいるユーザについて、「２４時間前：エリアＢ、１２時間前：エリアＣ、・・・」といった位置記録が得られる。
【００３３】
次に、端末位置記録検索サーバ３００は、症例情報検索サーバ４００に対して、取得した携帯端末の位置記録とともに、症例情報の検索を要求する（ステップＳ１０３）。
【００３４】
次に、端末位置記録検索サーバ３００は、検索結果検証サーバ５００に対して、取得した携帯端末の位置記録を送信する（ステップＳ１０４）。
【００３５】
ステップＳ１０３で端末位置記録検索サーバ３００より症例情報の検索を要求された症例情報検索サーバ４００は、携帯端末の位置記録に対応する地域にある医療機関の電子カルテを読み出し、検索対象とする症例情報を検索し、検索結果を検索結果検証サーバ５００に送信する（ステップＳ１０５）。ここでは、例えば、現在、上記位置記録が得られているユーザについて、「２４時間前：医療機関ｂ０１（エリアＢ）＝症例なし、医療機関ｂ０２（エリアＢ）＝感染症Ｘ２件、１２時間前：医療機関ｃ０１（エリアＣ）＝感染症Ｘ３件、医療機関ｃ０２（エリアＣ）＝感染症Ｘ５件、・・・」といった症例情報が得られる。
【００３６】
検索結果検証サーバ５００は、ステップＳ１０５にて症例情報検索サーバ４００より受信した症例情報から症例別件数を集計し、ステップＳ１０４にて端末位置記録検索サーバ３００より受信した携帯端末の位置記録と、結合する（ステップＳ１０６）。例えば、現在、上記位置記録が得られているユーザについて、「２４時間前：エリアＢ＝感染症Ｘ２件、１２時間前：エリアＣ＝感染症Ｘ８件、・・・」といった集計済み症例情報と位置情報の結合結果が得られる。
【００３７】
次に、検索結果検証サーバ５００は、前回検索結果記憶手段１０から読み出した前回の送信内容と、前記携帯端末の位置記録と結合した症例別件数とを比較し、症例件数の増減や新規症例発生の有無を検出する（ステップＳ１０７）。
【００３８】
症例件数の増減や新規症例発生の有無が検出された場合、検索結果検証サーバ５００は、携帯端末の位置記録と結合した症例別件数を適宜編集・加工した電子メールを作成し、メール配信サーバ８００に対して送信する（ステップＳ１０８）。検索結果検証サーバ５００は、前回検索結果記憶手段１０の内容を更新する。編集・加工においては、規定のフォーマットへの症例別件数の挿入のほか、例えば、症例別増加件数を増加率に置き換える処理も適宜行われる。
【００３９】
メール配信サーバ８００が、携帯端末９に対して、検索結果検証サーバ５００より送信された電子メールを送信する（ステップＳ１０９）。
【００４０】
以上のように、本実施形態によれば、ユーザが所持する携帯電話等の位置記録から、ユーザが過去に訪れた地域におけるウイルス感染症や花粉症の発生状況を自動的に通知することが可能になる。これにより、ユーザは、当該地域への再訪時に必要な対策を採ったり、医療機関で検査を受け、本人が知らないうちに他人や家族に伝染病等をうつしてしまう事態を防ぐことが可能になる。
【００４１】
以上、本発明の好適な実施形態を説明したが、本発明は、上記した各実施形態に限定されるものではなく、本発明の基本的技術的思想を逸脱しない範囲で、更なる変形・置換・調整を加えることができる。例えば、上記した実施形態における各サーバや各記憶手段を適宜統合又は分散させ構成に変形することが可能である。
【００４２】
また例えば、サービス提供条件として設定された動作周期が十分に長いものであれば、検索結果検証手段を省略することも可能である。また、反対に、携帯端末側にスケジューラを配置し、携帯端末から自動的に新しい症例情報の集計結果の送信を要求するようにしてもよい。
【００４３】
また例えば、更に気象情報を格納したデータベースと接続した変形実施形態も考えられる。例えば、気温、湿度、天候、風向きを付加情報として提供してもよいし、また、これらと、ウイルス感染症との相関関係、花粉症との相関関係を提供することもできる。
【図面の簡単な説明】
【００４４】
【図１】本発明の第１の実施形態に係る症例情報自動配信システムの構成を表した図である。
【図２】本発明の第１の実施形態に係る症例情報自動配信システムの詳細構成例（端末位置記録検索サーバ）を表した図である。
【図３】本発明の第１の実施形態に係る症例情報自動配信システムの詳細構成例（奨励情報検索サーバ）を表した図である。
【図４】本発明の第１の実施形態に係る症例情報自動配信システムの詳細構成例（検索結果検証サーバ）を表した図である。
【図５】本発明の第１の実施形態に係る症例情報自動配信システムの動作を説明するためのシーケンス図である。
【符号の説明】
【００４５】
１  スケジューラ
２  ユーザ情報
３  端末位置記録検索手段
４  症例情報検索手段
５  検索結果検証手段
７  電子カルテ
８  検索結果通知手段
９  携帯端末
１０  前回検索結果記憶手段
１１  端末位置記録手段
１００  スケジューラサーバ
３００  端末位置記録検索サーバ
３０１  端末位置記録検索制御部
３０２  端末位置記録要求処理部
３０３  症例情報検索要求処理部
３０４  端末位置記録送信部
４００  症例情報検索サーバ
４０１  症例情報検索制御部
４０２  症例情報要求処理部
４０３  地域別病院情報記憶部
４０４  検索対象症例情報記憶部
５００  検索結果検証サーバ
５０１  端末位置記録／症例情報結合処理部
５０２  前回検索結果比較処理部
５０３  メール配信要求処理部
５０４  検索結果更新処理部
８００  メール配信サーバ
１１００  端末位置記録サーバ
【図１】
2009277050.tif 000003
【図２】
2009277050.tif 000004
【図３】
2009277050.tif 000005
【図４】
2009277050.tif 000006
【図５】
2009277050.tif 000007